(57)【要約】【課題】複数の化粧料塗布具を、容器本体の塗布具収容室に収容する化粧料用容器において、塗布具収容室からの化粧料塗布具の取り出しを容易にする。【解決手段】化粧料用容器１Ａが、軸体１１の少なくとも一方の端部に塗布体１２、１３を有する化粧料塗布具１０ａ、１０ｂの複数を収容する塗布具収容室４と、化粧料Ａを収容する化粧料収容室３とを有する。塗布具収容室４は、化粧料塗布具１０ａ、１０ｂの一端寄りの軸体１１を支持する台座２０Ａを有すると共に、化粧料塗布具１０ａ、１０ｂの他端が当接する滑り止め用凸部２３を有する。塗布具収容室４の長手方向について、滑り止め用凸部２３と塗布具収容室４の壁面との距離８ａが、台座２０Ａと塗布具収容室４の壁面８ｂとの距離よりも短い。【選択図】図１
2015123082.tif 000002
【特許請求の範囲】
【請求項１】
軸体の少なくとも一方の端部に塗布体を有する化粧料塗布具を複数収容するための塗布具収容室と、化粧料を収容するための化粧料収容室とを有する化粧料用容器であって、
塗布具収容室は、化粧料塗布具の一端寄りの軸体を支持する台座を有すると共に、化粧料塗布具の他端が当接する滑り止め用凸部を有し、
塗布具収容室の長手方向について、滑り止め用凸部と塗布具収容室の壁面との距離が、台座と塗布具収容室の壁面との距離よりも短い化粧料用容器。
【請求項２】
台座は隣り合う化粧料塗布具の間に突出する仕切り部を有する請求項１記載の化粧料用容器。
【請求項３】
台座の塗布具収容室底面からの高さが、滑り止め用凸部の塗布具収容室底面からの高さよりも高い請求項１又は２記載の化粧料用容器。
【請求項４】
複数の化粧料塗布具の長手方向の長さが異なり、台座又は滑り止め用凸部の塗布具収容室底面における設置位置が、化粧料塗布具の長手方向の長さに応じてずれている請求項１〜３のいずれかに記載の化粧料用容器。
【請求項５】
台座において、仕切り部で隔てられた隣り合う化粧料塗布具の支持面の、塗布具収容室底面からの高さが互いに異なる請求項２記載の化粧料用容器。
【請求項６】
台座及び滑り止め用凸部が着脱可能に設けられている請求項１〜５のいずれかに記載の化粧料用容器。
【請求項７】
軸体の少なくとも一方の端部に塗布体を有する化粧料塗布具の複数が、塗布具収容室に収容されている請求項１〜６のいずれかに記載の化粧料用容器。
【請求項８】
軸体の中央部の把持部の断面形状が扁平である請求項１〜７のいずれかに記載の化粧料用容器。
【請求項９】
請求項１〜８のいずれかに記載の化粧料用容器において、化粧料収容室に化粧料が収容され、塗布具収容室に化粧料塗布具が収容されている化粧料製品。
【発明の詳細な説明】
【技術分野】
【０００１】
本発明は、化粧料塗布具の収容室を有する化粧料用容器に関する。
【背景技術】
【０００２】
アイシャドウ、アイブロー、チーク等の化粧料に用いられる化粧料用容器として、化粧料を収容する化粧料収容室と、その化粧料の塗布に使用する化粧料塗布具を収容する塗布具収容室とを有するものが普及している。
このような化粧料用容器は、携帯しやすいように小型化されているので、塗布具収容室は狭くなっている。そのため、化粧料塗布具を塗布具収容室から取り出すことは容易でない。
【０００３】
これに対し、化粧料塗布具を収容する塗布具収容室の底部中央部に、化粧料塗布具を支持する弾性体を設け、化粧料用容器の蓋を閉めるときには、蓋で弾性体を押し込み、蓋を開けて化粧料塗布具を取り出すときには、弾性体を支点として化粧料塗布具の一端を持ち上げること（特許文献１）や、化粧料塗布具を収容する塗布具収容室に、化粧料塗布具の中央部を水平に挟持する弾性体を設け、化粧料塗布具の後端部を押し下げ、化粧料塗布具の先端筆部を上方に起こすこと（特許文献２）が提案されている。
【先行技術文献】
【特許文献】
【０００４】
【特許文献１】実開昭５９−１３９２０６号公報
【特許文献２】実開昭６３−８８２１６号公報
【発明の概要】
【発明が解決しようとする課題】
【０００５】
しかしながら、特許文献１に記載のように、化粧料塗布具を収容する塗布具収容室の底部中央部に化粧料塗布具の支持体を設けるだけでは、塗布具収容室に、長さが異なる複数の化粧料塗布具を収容する場合に、塗布具収容室から化粧料塗布具を取り出しにくいという問題がある。
【０００６】
また、特許文献２に記載のように、塗布具収容室で化粧料塗布具を水平に挟持すると、化粧料塗布具の取り出し時に、まず、化粧料塗布具の後端部を押し下げる動作が必要となるので煩雑である。
【０００７】
このような従来技術に対し、本発明が解決しようとする課題は、複数の化粧料塗布具を収容する塗布具収容室を備えた化粧料用容器において、塗布具収容室からの化粧料塗布具の取り出しを容易にすることに関する。
【課題を解決するための手段】
【０００８】
本発明者は、軸体の少なくとも一方の端部に塗布体を有する化粧料塗布具の複数を、塗布具収容室に収容する場合に、塗布具収容室に、化粧料塗布具の一端寄りの軸体を支持する台座と、化粧料塗布具の他端を当接させる滑り止め用凸部を設け、化粧料塗布具を台座に斜めに立てかけると、複数の化粧料塗布具を収容した塗布具収容室から、各化粧料塗布具を容易に取り出せることを見出し、かかる台座と滑り止め用凸部を有する本発明を完成させた。
【０００９】
即ち、軸体の少なくとも一方の端部に塗布体を有する化粧料塗布具を複数収容する塗布具収容室と、化粧料を収容するための化粧料収容室とを有する化粧料用容器であって、
塗布具収容室は、化粧料塗布具の一端寄りの軸体を支持する台座を有すると共に、化粧料塗布具の他端が当接する滑り止め用凸部を有し、
塗布具収容室の長手方向について、滑り止め用凸部と塗布具収容室の壁面との距離が、台座と塗布具収容室の壁面との距離よりも短い化粧料用容器を提供する。
【発明の効果】
【００１０】
本発明によれば、複数の化粧料塗布具を塗布具収容室に収容する化粧料用容器において、塗布具収容室からの化粧料塗布具の取り出しが容易となる。
【図面の簡単な説明】
【００１１】
【図１】図１は、本発明の一実施例を示す化粧料用容器１Ａの（ａ）斜視図、（ｂ）Ｙ−Ｙ断面図、及び（ｃ）Ｘ−Ｘ断面図である。
【図２】図２は、化粧料用容器１Ａの変形態様の斜視図である。
【図３】図３は、本発明の別の実施例を示す化粧料用容器１Ｂの（ａ）斜視図、及び（ｂ）Ｘ−Ｘ断面図である。
【図４】図４は、本発明の別の実施例を示す化粧料用容器１Ｃの斜視図である。
【図５】図５は、本発明の別の実施例を示す化粧料用容器１Ｄの（ａ）斜視図、及び（ｂ）Ｙ−Ｙ断面図である。
【図６】図６は、本発明の別の実施例を示す化粧料用容器１Ｅの斜視図である。
【図７】図７は、本発明の別の実施例を示す化粧料用容器１Ｆの斜視図である。
【発明を実施するための形態】
【００１２】
以下、図面を参照しつつ、本発明を具体的に説明する。なお、各図中、同一符号は、同一又は同等の構成要素を表している。
【００１３】
図１は、本発明の一実施例の化粧料用容器１Ａの（ａ）斜視図、（ｂ）Ｙ−Ｙ断面図、及び（ｃ）Ｘ−Ｘ断面図である。この化粧料用容器１Ａは、コンパクトケース型の化粧料用容器であって、薄型の容器本体２に、アイシャドウ、アイブロー、チーク等のケーキ状の化粧料Ａを収容する化粧料収容室３と、化粧料Ａの塗布に使用する２本の化粧料塗布具１０ａ、１０ｂを収容する塗布具収容室４を備えている。化粧料用容器１Ａは、化粧料Ａを化粧料収容室３に収容し、化粧料塗布具１０ａ、１０ｂを塗布具収容室４に収容し、化粧料製品となる。
【００１４】
また、容器本体２には、ヒンジで蓋５が接合されている。蓋５に設けられた係着リブ７ａが、容器本体２に設けられた被係止部７ｂと着脱可能に係止することで蓋５が閉じる。化粧料用容器１Ａの使用時における手前側の面にはボタン７が設けられており、ボタン７を塗布具収容室４側に押圧することで係着リブ７ａと被係止部７ｂとの係止状態が解除される。
【００１５】
塗布具収容室４に収容される化粧料塗布具１０ａ、１０ｂは、軸体１１の少なくとも一方の端部に塗布体を有している。より具体的には、これら化粧料塗布具１０ａ、１０ｂは、それぞれ軸体１１の中央部が太径で断面が扁平な棒状の把持部１１ａとなっており、軸体１１の両端部には塗布体１２、１３が形成されている。ここで、把持部１１ａの扁平な断面形状としては、矩形、楕円、扁平な円等をあげることができ、アスペクト比（長径と短径の比）が１１：１０以上であることが好ましく、６：５以上がより好ましい。把持部１１ａの断面形状を扁平とすることにより、化粧料塗布具１０ａ、１０ｂを収容する化粧料用容器の薄型化の要請に応じることができるので好ましい。
【００１６】
化粧料塗布具１０ａ、１０ｂが、幅の狭い塗布具収容室４の底面に直接載置されていると、把持部１１ａを指で摘んで塗布具収容室４から化粧料塗布具１０ａ、１０ｂを取り出すことは容易でないが、この化粧料用容器１Ａの塗布具収容室４には、後述するように、台座２０Ａと滑り止め用凸部２３が設けられているので、化粧料塗布具１０ａ、１０ｂは台座２０Ａに斜めに立てかけられているため、把持部１１ａの断面形状が扁平であっても、塗布具収容室４からの化粧料塗布具１０ａ、１０ｂの取り出しが容易となる。具体的には、塗布具収容室４に収容されている化粧料塗布具１０ａ、１０ｂを取り出す際には、化粧料塗布具１０ａ、１０ｂが、台座２０Ａに斜めに立てかけられていることにより、化粧料塗布具１０ａ、１０ｂの把持部１１ａは塗布具収容室４の底面６から浮き上がっており、かつ滑り止め用凸部２３側の化粧料塗布具１０ａ、１０ｂの端部と壁面８ａとの間に空間を形成することで指を挿入し易くなることで、把持部１１ａを容易に摘むことができ、各化粧料塗布具１０ａ、１０ｂを塗布具収容室４から容易に取り出すことができる。また、把持部１１ａの浮き上がりと滑り止め用凸部２３側の化粧料塗布具１０ａ、１０ｂ端部の壁面８ａとの空間形成により、化粧料塗布具１０ａ、１０ｂの把持部１１ａにおいて、塗布体１２近傍又は塗布体１３近傍の把持部１１ａの端部を摘み易くなり、使用者の好みに応じた化粧料塗布具１０ａ、１０ｂの把持が可能となる。
【００１７】
なお、本発明の化粧料用容器が収容する化粧料塗布具の把持部の断面形状は、扁平に限られず、例えば、真円、正方形、三角形その他の多角形とすることができる。
【００１８】
塗布体１２，１３の形成材料に特に制限はなく、例えば、スポンジ、フロッキー加工した樹脂材料、刷毛等から形成することができる。塗布体１２，１３は、それぞれ異なる材質のものを用いてもよく、また異なる形状や大きさに形成していてもよい。
【００１９】
また、化粧料塗布具１０ａ、１０ｂにおいて、塗布体は軸体１１の一端にのみ形成されていてもよい。
【００２０】
一方、塗布具収容室４は、化粧料塗布具１０ａ、１０ｂの軸体１１の中央部よりも、一方の端部の塗布体１２側に寄った部分を支持する台座２０Ａを有すると共に、化粧料塗布具１０ａ、１０ｂの他端の塗布体１３が当接する滑り止め用凸部２３を有している。ここで、塗布具収容室４の長手方向について、滑り止め用凸部２３と塗布具収容室４の壁面８ａとの距離は、台座２０Ａと塗布具収容室４の壁面８ｂとの距離よりも短い。この壁面８ａは、塗布部収容室４の長手方向において滑り止め用凸部２３に隣接する方の壁面であり、また壁面８ｂは、塗布具収容室４の長手方向において台座２０Ａに隣接する方の壁面である。壁面８ａ又は壁面８ｂまでの距離は、塗布具収容室４の長手方向における滑り止め用凸部２３の中心線又は台座２０Ａの中心線との間で判断する。このように滑り止め用凸部２３と塗布具収容室４の壁面８ａとの距離が、台座２０Ａと塗布具収容室４の壁面８ｂとの距離よりも短いことにより、化粧料塗布具１０ａ、１０ｂの把持部１１ａを塗布具収容室４の長手方向の中央付近に配置し易くなり、塗布具収容室４への出し入れが容易となる。
【００２１】
また、この台座２０Ａにおける化粧料塗布具１０ａ、１０ｂの支持面２１は、塗布具収容室４の底面６からの高さが、滑り止め用凸部２３の塗布具収容室４の底面６からの高さよりも高いことが好ましい。より具体的には、台座２０Ａにおける化粧料塗布具１０ａ、１０ｂの支持面２１はそれぞれ水平であり、その支持面２１の塗布具収容室４の底面６からの高さは、好ましくは塗布具収容室４の深さの１０％以上８０％以下であり、更に好ましくは２０％以上６０％以下である。一方、滑り止め用凸部２３の塗布具収容室４の底面６からの高さは、好ましくは塗布具収容室４の深さの５％以上５０％以下であり、滑り止め用凸部２３の高さは、化粧料塗布具１０ａ、１０ｂの支持面２１よりも外観上容易に低いことがわかる。そのため、化粧料用容器１Ａの使用者は、化粧料塗布具１０ａ、１０ｂを塗布具収容室４に収容するときには、化粧料塗布具１０ａ、１０ｂを、台座２０Ａと滑り止め用凸部２３の双方にわたるように載置せず、台座２０Ａに斜めに立てかけるようになる。この場合、滑り止め用凸部２３があることにより、化粧料塗布具１０ａ、１０ｂは台座２０Ａから滑り落ちることを防止できる。さらに、滑り止め用凸部２３があることにより、塗布具収容室４に収容した化粧料塗布具１０ａ、１０ｂの、塗布具収容室４の長手方向のがたつきを減らすことができ、また、塗布具収容室４における化粧料塗布具１０ａ、１０ｂの収納状態の配置が美しくなる。
【００２２】
また、台座２０Ａは、隣り合う化粧料塗布具１０ａ、１０ｂの間に突出する仕切り部２２を有している。したがって、台座２０Ａに支持された、隣り合う化粧料塗布具１０ａ、１０ｂの間には間隙があくので、塗布具収容室４からの化粧料塗布具１０ａ、１０ｂの取り出しが一層容易となる。この台座２０Ａと滑り止め用凸部２３と仕切り部２２による化粧料塗布具１０ａ、１０ｂの取り出しやすさの向上は、把持部１１ａの断面が扁平な場合に顕著となる。したがって、化粧料塗布具１０ａ、１０ｂの把持部１１ａの断面が扁平であると本発明の意義が高い。
【００２３】
よって、この化粧料用容器１Ａによれば、塗布具収容室４に収容されている化粧料塗布具１０ａ、１０ｂを取り出す際には、化粧料塗布具１０ａ、１０ｂが、台座２０Ａに斜めに立てかけられていることにより、化粧料塗布具１０ａ、１０ｂの把持部１１ａは塗布具収容室４の底面６から浮き上がっており、かつ隣り合う化粧料塗布具１０ａ、１０ｂの間には間隙があいているので、把持部１１ａを容易に摘むことができ、各化粧料塗布具１０ａ、１０ｂを塗布具収容室４から容易に取り出すことができる。
【００２４】
なお、台座２０Ａの形成材料としては、ポリエチレンテレフタレート、ポリスチレン、ポリエチレン、ポリプロピレン、ＡＳ樹脂、ＡＢＳ樹脂等の合成樹脂が挙げられる。
【００２５】
本発明は種々の態様をとることができる。
例えば、上述の化粧料用容器１Ａにおいて、台座２０Ａ及び滑り止め用凸部２３は、容器本体２に一体成形で設けてもよく、また塗布具収容室４の底面６に固着してもよく、あるいは図２に示す化粧料用容器１Ａ’のように、容器本体２に対して台座２０Ａを着脱可能としてもよい。着脱可能とするには、例えば、一体成形等でプレート２４上に台座２０Ａ及び滑り止め用凸部２３を設け、塗布具収容室４にプレート２４を嵌入して載置するだけで、台座２０Ａ及び滑り止め用凸部２３が塗布具収容室４内の所定の位置に配置されるようにすることができる。この場合、プレート２４は、塗布具収容室４の底面６と略同じ形状および大きさにすることが好ましい。台座２０Ａ及び滑り止め用凸部２３を備えたプレート２４は、外れ難くするため、塗布具収容室４の底面６に対して粘着剤等で仮止めしてもよい。
【００２６】
このように台座２０Ａ及び滑り止め用凸部２３を着脱可能とすると、容器本体２に組み合わせる化粧料塗布具１０ａ、１０ｂの形状や寸法を変更する場合に、容器本体２を変更することなく、台座２０Ａや滑り止め用凸部２３の寸法の変更だけで足りるので好ましい。また、台座２０Ａ及び滑り止め用凸部２３を着脱可能とすることは、塗布具収容室４を洗浄したり、台座２０Ａの色を変更して化粧料用容器１Ａ’の外観や印象を変えることが可能となる点でも好ましい。この場合、台座２０Ａや滑り止め用凸部２３の色を、化粧料塗布具１０ａ、１０ｂ全体又はその把持部１１ａの色と異ならせることにより、化粧料塗布具１０ａ、１０ｂ又は把持部１１ａの視認性が向上する。また、使用者の好みに応じて、台座２０Ａ及び滑り止め用凸部２３を取り外して使用することも可能となる。
【００２７】
図３の化粧料用容器１Ｂは、上述の図１の化粧料用容器１Ａにおいて、塗布具収容室４に収容する化粧料塗布具１０ａ、１０ｂの軸体１１の形状に応じて台座の支持面の高さを変えたものである。即ち、この化粧料用容器１Ｂでは、塗布具収容室４に収容する化粧料塗布具１０ａ、１０ｂのうち、一方の化粧料塗布具１０ａでは、軸体１１の両端に塗布体１２、１３が連続し、軸体１１の中央部の把持部１１ａが、軸体１１の両端部よりも太径であり、把持部１１ａは扁平な断面形状を有しているが、他方の化粧料塗布具１０ｂは、軸体１１の一方の端部にのみ塗布体１２が連続し、その塗布体１２と把持部１１ａとの間に細径の軸部１１ｂが存在し、この軸部１１ｂが台座２０Ｂに支持される。
【００２８】
台座２０Ｂの支持面２１は、一方の化粧料塗布具１０ａの把持部１１ａを支持する部分に比して、他方の化粧料塗布具１０ｂの軸部１１ｂを支持する部分の高さが高くなっている。これにより、一方の化粧料塗布具１０ａの塗布体１２の先端部と、他方の化粧料塗布具１０ｂの塗布体１２の先端部との塗布具収容室４の底面６からの高さが揃い、双方の化粧料塗布具１０ａ、１０ｂが配置される際にこれらの軸体１１の傾きが異なるため垂直方向上方でも空間が生じ、取り出しやすさを確保することができる。また、化粧料塗布具１０ａ、１０ｂの塗布具収容室４における収容状態での先端状態での高さが揃うため、塗布具収容室４上を鏡汚れ防止用フィルムで覆った際も、先端部の高さが異なることがないため、一方の化粧料塗布具の塗布体で該フィルムが持ち上げられることなく、美しく配置することができる。
【００２９】
図４の化粧料用容器１Ｃは、上述の図３の化粧料用容器１Ｂにおいて、台座における化粧料塗布具１０ａ、１０ｂの支持面を水平面から、下に凸の湾曲に変更したものである。これにより、台座２０Ｃにおける化粧料塗布具１０ａ、１０ｂの台座２０Ｃの幅方向（化粧料塗布具１０ａ、１０ｂの短手方向）の支持位置が安定するので好ましい。
【００３０】
図５の化粧料用容器１Ｄは、上述の図１の化粧料用容器１Ａの滑り止め用凸部２３の塗布具収容室４の底面６における設置位置を化粧料塗布具１０ａ、１０ｂの長手方向の長さに応じて調整したものである。具体的には、滑り止め用凸部２３を二つに分割し、分割した滑り止め用凸部２３ａ、２３ｂの化粧料塗布具１０ａ、１０ｂに当接する当接面２３ａf、２３ｂfの塗布具収容室４の底面６における設置位置を化粧料塗布具１０ａ、１０ｂの長手方向の長さに応じて調整し、いずれの化粧料塗布具１０ａ、１０ｂも軸体１１が台座２０Ａで支持され、かつ化粧料塗布具１０ａ、１０ｂの端部が滑り止め用凸部２３ａ、２３ｂに当接するようにしたものである。この場合、双方の化粧料塗布具１０ａ、１０ｂの塗布体１２の端部の位置が化粧料塗布具１０ａ、１０ｂの長手方向で略揃うようにしてある。あるいは双方の化粧料塗布具１０ａ、１０ｂの把持部１１ａの中央部の位置が略揃うようにしても良い。これにより、長さの異なる化粧料塗布具１０ａ、１０ｂを塗布具収容室４に綺麗に収容することができる。
【００３１】
図６の化粧料用容器１Ｅは、上述の図５の化粧料用容器１Ｄにおいて２つに分割した滑り止め用凸部２３ａ、２３ｂを連続させたものである。ただし、滑り止め用凸部２３ａ、２３ｂの化粧料塗布具１０ａ、１０ｂに対する当接面２３ａf、２３ｂfの位置は、図５の化粧料用容器１Ｄと同様に、化粧料塗布具１０ａ、１０ｂの長手方向の長さに応じて調整されている。これにより、塗布具収容室４で長手方向のがたつきが起こりにくくなり、また、軸体１１と塗布具収容室４の底面６との空間が保持できるため、化粧料塗布具１０ａ、１０ｂを取り出し易くすることができる。
【００３２】
図７の化粧料用容器１Ｆは、上述の図５の化粧料用容器１Ｄに対し、塗布具収容室４に収容する化粧料塗布具１０ａ、１０ｂの長手方向の長さに応じて、台座２０Ｄにおける化粧料塗布具１０ａ、１０ｂの支持面の位置を化粧料塗布具１０ａ、１０ｂの長手方向にずらし、双方の化粧料塗布具１０ａ、１０ｂの把持部１１ａの中央部の位置が、化粧料塗布具１０ａ、１０ｂの長手方向で略揃うようにしたものである。
【００３３】
このように、台座や滑り止め用凸部はそれぞれ種々の形状をとることができる。また、上述した種々の態様は、適宜組み合わせることができる。例えば、台座のみ化粧料塗布具１０ａ、１０ｂの長手方向の長さに応じて、塗布具収容室４の底面６における設置位置を化粧料塗布具の長手方向にずらしてもよい。また、台座は、２本の化粧料塗布具に対応したものに限られず、３本の化粧料塗布具を支持するものであってもよい。また、滑り止め用凸部を台座と誤認しないよう認知させ、または化粧料塗布具の保持を良好とするため、滑り止め用凸部の台座との対向面になだらかな抉りを設けてもよい。
【００３４】
本発明の化粧料用容器はコンパクトケース型に限らない。例えば、ジャー容器の中蓋にスパチュラ等の化粧料塗布具の収納室を設け、その収納室に本発明が使用する台座を設けてもよい。
【符号の説明】
【００３５】
１Ａ、１Ａ’、１Ｂ、１Ｃ、１Ｄ、１Ｅ、１Ｆ    化粧料用容器
２    容器本体
３    化粧料収容室
４    塗布具収容室
５    蓋
６    底面
７    ボタン
８ａ、８ｂ    壁面
１０ａ、１０ｂ    化粧料塗布具
１１    軸体
１１ａ  把持部
１１ｂ  軸部
１２    塗布体
１３    塗布体
２０Ａ、２０Ｂ、２０Ｃ、２０Ｄ    台座
２１    支持面
２２    仕切り部
２３、２３ａ、２３ｂ    滑り止め用凸部
２３ａf、２３ｂf    当接面
Ａ    化粧料
【図１】
2015123082.tif 000003
【図２】
2015123082.tif 000004
【図３】
2015123082.tif 000005
【図４】
2015123082.tif 000006
【図５】
2015123082.tif 000007
【図６】
2015123082.tif 000008
【図７】
2015123082.tif 000009